(57)【要約】【課題】  照明装置の照射方向をユーザの意図する方向へ容易に変更できるようにする。【解決手段】  発光部と、前記発光部の照射方向を変更するための駆動手段と、前記発光部の照射方向を演算する演算手段と、を有する照明装置に、着脱可能に装着される撮像装置であって、操作部と、前記操作部への操作に応じて装着された照明装置の照射方向を補正する補正量を決定する決定手段と、前記決定手段により決定された補正量を前記装着された照明装置に通知する通知手段と、を有する。【選択図】  図７
2017215530.tif 000002
【特許請求の範囲】
【請求項１】
発光部と、前記発光部の照射方向を変更するための駆動手段と、前記発光部の照射方向を演算する演算手段と、を有する照明装置に、着脱可能に装着される撮像装置であって、
操作部と、
前記操作部への操作に応じて装着された照明装置の照射方向を補正する補正量を決定する決定手段と、
前記決定手段により決定された補正量を前記装着された照明装置に通知する通知手段と、を有することを特徴とする撮像装置。
【請求項２】
前記操作部は、前記撮像装置の設定または制御値を変更するときにも用いられて、
前記照明装置がモデリング発光を行っている間は、前記決定手段が前記操作部への操作に応じて前記補正量を決定することを特徴とする請求項１に記載の撮像装置。
【請求項３】
物体の接近を検出する接近検出手段を有し、
前記操作部は、前記撮像装置の設定または制御値を変更するときにも用いられて、
前記接近検出手段が物体の接近を検出した場合は、前記決定手段が前記操作部への操作に応じて前記補正量を決定することを特徴とする請求項１に記載の撮像装置。
【請求項４】
前記操作部は、レンズ鏡筒に設けられていることを特徴とする請求項１に記載の撮像装置。
【請求項５】
撮像装置に着脱可能に装着される照明装置であって、
発光部と、
前記発光部の照射方向を変更するための駆動手段と、
前記発光部の照射方向を演算する演算手段と、を有し、
前記駆動手段は、装着された撮像装置から通知される当該撮像装置が操作されて決定された補正量に基づいて、前記演算手段で演算された照射方向から照射方向を変更することを特徴とする照明装置。
【請求項６】
前記補正量を記憶する記憶手段を有することを特徴とする請求項５に記載された照明装置。
【請求項７】
前記装着された撮像装置から前記補正量が通知されたことに応じて前記発光部にモデリング発光を行わせる制御手段を有することを特徴とする請求項５または６に記載の照明装置。
【請求項８】
前記制御手段は、前記発光部のモデリング発光時の発光量を前記発光部の照射方向に応じて変更することを特徴とする請求項７に記載の照明装置。
【請求項９】
前記制御手段は、前記発光部の照射方向が上方であるほど前記発光部のモデリング発光時の発光量を大きくすることを特徴とする請求項８に記載の照明装置。
【請求項１０】
照明装置と撮像装置を有する撮像システムであって、
前記照明装置は、
発光部と、
前記発光部の照射方向を変更するための駆動手段と、
前記発光部の照射方向を演算する演算手段と、を有し、
前記撮像装置は、
操作部と、
前記操作部への操作に応じて前記照明装置の照射方向を補正する補正量を決定する決定手段と、
前記決定手段により決定された補正量を前記照明装置に通知する通知手段と、を有し、
前記駆動手段は、前記撮像装置から通知された前記補正量に基づいて、前記演算手段で演算された照射方向から照射方向を変更することを特徴とする撮像システム。
【発明の詳細な説明】
【技術分野】
【０００１】
本発明は、照明装置の照射方向を自動で変更するための制御に関するものである。
【背景技術】
【０００２】
従来、照明装置の光を天井等に向けて照射して天井等からの拡散反射光を被写体に照射する発光撮影（以下、バウンス発光撮影とする）が知られている。バウンス発光撮影によれば、照明装置の光を直接的ではなく間接的に被写体に照射することができるため、柔らかい光での描写が可能となる。
【０００３】
そして、照明装置の照射方向を自動で変更すること（以下、オートバウンスという）が可能な照明装置の関する技術が提案されている。
【０００４】
特許文献１では、被写体との間の距離情報と、反射体との間の距離情報に基づき、バウンス照射角度を演算し、演算された照射角度に基づいて発光部を駆動させる技術が開示されている。
【先行技術文献】
【特許文献】
【０００５】
【特許文献１】特開２０１１―１７００１４号公報
【発明の概要】
【発明が解決しようとする課題】
【０００６】
しかしながら、上記の特許文献１のように自動で照射角度を演算した場合、演算した照射角度が撮影者の意図する画像を取得可能な照射角度になるとは限らない。そこで、演算した照射角度とは異なる照射角度となるように、従来の照明装置のように発光部を有する可動部を撮影者が手動で回動させようとすると、撮像装置や照明装置の位置が移動して構図が大幅に変化してしまうおそれがある。
【０００７】
そこで、本発明は、照明装置の照射方向をユーザの意図する方向へ容易に変更できるようにすることを目的とする。
【課題を解決するための手段】
【０００８】
上記目的を達成するために、本発明に係る撮像装置は、発光部と、前記発光部の照射方向を変更するための駆動手段と、前記発光部の照射方向を演算する演算手段と、を有する照明装置に、着脱可能に装着される撮像装置であって、操作部と、前記操作部への操作に応じて装着された照明装置の照射方向を補正する補正量を決定する決定手段と、前記決定手段により決定された補正量を前記装着された照明装置に通知する通知手段と、を有することを特徴とする。
【発明の効果】
【０００９】
本発明によれば、照明装置の照射方向をユーザの意図する方向へ容易に変更できるようにすることができる。
【図面の簡単な説明】
【００１０】
【図１】第１の実施形態に係る撮像システムの概略構成図である。
【図２】第１の実施形態に係る撮像システムのブロック図である。
【図３】第１の実施形態に係る撮像システムの背面図である。
【図４】第１の実施形態に係る補正量入力部２０９の操作方法の例を示す図である。
【図５】第１の実施形態に係るバウンス発光撮影に関わる動作を示す図である。
【図６】第１の実施形態に係る補正量入力部２０９の操作とバウンス角度の変更動作の例を示す図である。
【図７】第１の実施形態に係るバウンス角度調整処理に関わる動作を示す図である。
【図８】第１の実施形態に係るバウンス角度調整処理に関わる動作を示す図である。
【図９】バウンス角度に応じたモデリング発光時の発光量を示す図である。
【図１０】第２の実施形態に係る操作部２０８の操作とバウンス角度の変更動作の例を示す図である。
【図１１】第２の実施形態に係るバウンス角度調整処理に関わる動作を示す図である。
【図１２】第２の実施形態に係るバウンス角度調整処理に関わる動作を示す図である。
【図１３】第３の実施形態に係る補正量を反映させたオートバウンス動作を示す図である。
【発明を実施するための形態】
【００１１】
以下に、本発明の好ましい実施形態について、図面を用いて説明する。
【００１２】
（第１の実施形態）
図１は、本発明の第１の実施形態に係る、撮像装置１と撮像装置１に着脱可能に装着された照明装置３とを含む撮像システムの概略構成図である。図１（ａ）は、照明装置３の照射方向が前方を向いている状態の図であり、図１（ｂ）は、照明装置３の照射方向が上方を向いている状態の図である。なお、本実施形態では、撮像システムにおける被写体方向を前方、撮影者方向を後方、照明装置３が位置する方向を上方、撮像装置１が位置する方向を下方とする。また、撮像装置１及び照明装置３の前方の面を前面、後方の面を背面とし、背面側から見た左右をそれぞれの左右とする。
【００１３】
撮影者は、撮影前に被写体から撮影レンズ２に入射した光を接眼部１０５にて観測することができ、撮影可能な構図を確認することができる。撮影中はシャッター１０７と可動ミラー部１０９が稼働し、被写体からの光が撮像素子１０８へ照射される。
【００１４】
図１（ａ）のように、撮像装置１の前面に撮像装置１に着脱可能な撮影レンズ２が装着される。撮影レンズ２は、撮像装置１とマウント接点１１２を介して接続されるレンズ鏡筒であり、撮像装置制御部１１０（以下、Ｃ制御部とする）と撮影レンズ制御部１１３（以下、Ｌ制御部とする）はマウント接点１１２を介して電気的に接続される。
【００１５】
Ｃ制御部１１０は、例えばマイクロコンピュータやＤＳＰからなり、図示されないＲＯＭおよびＲＡＭを有し、ＲＯＭに予め記録されたプログラムやデータに従いＲＡＭを作業メモリとして用いて、撮像装置１の動作を制御する。
【００１６】
Ｌ制御部１１３は、Ｃ制御部１１０からの指示に従ってレンズ群１１５の位置調整と絞り１１４の制御を行う。
【００１７】
被写体からの光は撮影レンズ２のレンズ群１１５により集光され、メインミラーとハーフミラーで構成される可動ミラー部１０９によって、ピント板１０１に照射される。
【００１８】
ピント板１０１は撮像装置１の結像位置に配置される。また可動ミラー部１０９のハーフミラーは、集光された光をオートフォーカスユニット１１１に反射する。
【００１９】
ペンタプリズム１０２はピント板１０１に結像した被写体像を接眼レンズ１０４へと反射する。撮影者は接眼部１０５を通して接眼レンズ１０４を観測することで、ピント板１０１に結像された被写体像を観測することができる。
【００２０】
測光ユニット１０３はピント板１０１の結像面から照射される光束を撮像素子で光電変換する測光動作を行う。測光ユニット１０３はＣ制御部１１０と電気的に接続される。
【００２１】
Ｃ制御部１１０は、測光ユニット１０３から測光結果を受け取り、撮像装置１の露出制御値を演算する。また、測光ユニット１０３の測光結果から光源の光量変化を検出し、フリッカー光源下か否かを判断するとともにフリッカー光源の周波数と波形を検出する。
【００２２】
オートフォーカスユニット１１１は、位相差検出方式のオートフォーカスセンサからなり、Ｃ制御部１１０に接続される。
【００２３】
Ｃ制御部１１０は、オートフォーカスユニット１１１より測距値を受け取り、レンズ群１１５に含まれるフォーカシングレンズを焦点位置に合わせるための移動量を演算する。演算結果よりＣ制御部１１０はＬ制御部１１３を介してフォーカスレンズ位置を調整する。
【００２４】
撮像素子１０８は、撮影レンズ２より入射した光を電気信号に変換するＣＭＯＳやＣＣＤなどの撮像素子である。
【００２５】
照明装置３は、通信部１２０により撮像装置１と電気的に接続されており、通信部１２０を介して後述する発光装置制御部１１９（以下、Ｆ制御部とする）とＣ制御部１１０が接続されている。
【００２６】
Ｆ制御部１１９は、例えばマイクロコンピュータからなり、図示されないＲＯＭおよびＲＡＭを有し、ＲＯＭに予め記録されたプログラムやデータに従いＲＡＭを作業メモリとして用いて、照明装置３の動作を制御する。
【００２７】
発光部１１６は、キセノン管やＬＥＤなどの光源を有し、Ｆ制御部１１９によって発光制御が行われる。
【００２８】
光量測定部１１７は、環境光による光量や発光部１１６から発光した光の反射光量を測定するもので、測定結果をＦ制御部１１９に通知する。光量測定部１１７は撮像装置１の測光ユニット１０３と同様に撮像素子を用いてもよいし、撮像素子よりも比較的に安価な照度センサを用いてもよい。
【００２９】
発光駆動部１１８は、発光部１１６と光量測定部１１７の向きを変更させるために、発光部１１６と光量測定部１１７が設けられた可動部をＦ制御部１１９が設けられた本体部に対して回動させるモータや駆動回路を有する。発光駆動部１１８は、Ｆ制御部１１９からの指示に従って発光部１１６の照射方向、すなわち、照明装置３の照射方向を変更させる。
【００３０】
Ｆ制御部１１９は、発光部１１６と光量測定部１１７を用いて非発光時の光量と発光時の反射光量を用いた光波測距を行い、少なくとも撮像装置１の前方の被写体距離情報と上方の反射体距離情報の２種類の距離情報を取得する。そして、被写体距離情報と反射体距離情報とに基づいて、バウンス発光撮影に適した本体部に対する可動部の回動角度（バウンス角度）を演算する。可動部のバウンス角度は発光部１１６の照射方向と対応関係にあるため、可動部のバウンス角度を演算することは発光部１１６の照射方向を演算することに相当する。なお、バウンス角度の演算方法については、例えば、特開２０１１―１７００１４号公報に記載されたような公知の方法を用いればよく、詳細な説明は省略する。
【００３１】
Ｆ制御部１１９は、バウンス発光撮影に適したバウンス角度が演算されると、発光駆動部１１８を駆動させ可動部を演算したバウンス角度にする。本実施形態では、被写体距離情報と反射体距離情報とを取得してバウンス角度を演算し、発光駆動部１１８を駆動させ可動部を演算したバウンス角度にする一連の動作をオートバウンス動作とする。
【００３２】
充電回路１２１は、発光部１１６を発光させるための電気エネルギーを蓄積するコンデンサ、コンデンサに電気エネルギーを蓄積するための昇圧回路、コンデンサの充電電圧を検出する検出回路などを有する。充電回路１２１は、Ｆ制御部１１９からの指示に従ってコンデンサの充電を行うとともに、コンデンサの充電状態に関する情報をＦ制御部１１９へ通知する。
【００３３】
図２は、図１に示した撮像システムのブロック図であり、図１と共通する部分は同一の符号を付し、詳細な説明を省略する。
【００３４】
可動ミラー駆動部２０３は、Ｃ制御部１１０の指示に従って可動ミラー部１０９の状態を制御する。シャッター駆動部２０４は、Ｃ制御部１１０の指示に従ってシャッター１０７の状態を制御する。
【００３５】
信号処理部２０５は、撮像素子１０８から出力される画像信号に対して信号処理を行う。例えば、画像信号に対して回転、拡張、縮小などの処理を行う。信号処理部２０５の処理内容はＣ制御部１１０から設定されるが、取得した画像信号に応じて処理内容を変更してもよい。記録部２０６は、信号処理部２０５で処理された画像信号を撮影画像として記録する。
【００３６】
接近検出部２０７は、接眼部１０５の近傍に配置され、撮影者が撮像装置１に近づき接眼部１０５から被写体を視認している否かを判定するために用いられる。
【００３７】
操作部２０８は、撮影者の操作をＣ制御部１１０に伝達し、Ｃ制御部１１０は撮影者の操作部２０８への操作に応じて撮像装置１の設定または各種制御値を変更する。
【００３８】
補正量入力部２０９は、照明装置３で演算したバウンス角度に対して補正を行うための入力部で、入力結果は撮像装置１から照明装置３へ通知される。
【００３９】
仮発光指示部２１０が撮影者に操作されると、Ｃ制御部１１０はＦ制御部１１９へ仮発光を指示するとともに、Ｌ制御部１１３へ撮影レンズ２の絞り量を実際の（撮影時の）絞りへ駆動するように指示する。この仮発光及び実際の絞りへの駆動を伴う一連の動作をモデリング発光動作といい、モデリング発光動作中は撮影者が接眼部１０５を通して被写体への照明装置３からの光の当たり方を確認することができる。
【００４０】
図３は、本実施形態に係る撮像システムの背面図であり、図１または図２と共通する部分は同一の符号を付し、詳細な説明を省略する。
【００４１】
補正量入力部２０９及び仮発光指示部２１０は、撮影者が接眼部１０５を覗いている状態でも操作しやすい位置に配置されている。また、操作部２０８と補正量入力部２０９とを間違って操作しないように、操作部２０８と補正量入力部２０９は互いに離れた位置に配置され、互いの形状が異なっている。
【００４２】
図４は、補正量入力部２０９の操作方法の例を示す図である。図４（ａ）は、補正量入力部２０９の初期状態を示し、図４（ｂ）は補正量入力部２０９の入力レバーが傾けられた状態を示し、図４（ｃ）は補正量入力部２０９の入力レバーが押下された状態を示している。
【００４３】
補正量入力部２０９は、入力レバーの入力方向及び入力量を検出することが可能で、例えば、図４（ｂ）に示すように入力レバーの傾き角度θに応じて入力量を決定し、Ｃ制御部１１０へ入力結果を通知する。また、補正量入力部２０９は、図４（ｃ）に示すように入力レバーが押下されたことをＣ制御部１１０へ通知する。
【００４４】
図５は、本実施形態に係るバウンス発光撮影に関わる動作を示す図である。
【００４５】
撮像装置１または照明装置３に設けられたオートバウンス動作の開始指示を行うための操作部が撮影者に操作されると、ステップＳ１０１でＦ制御部１１９はオートバウンス動作を開始させる。
【００４６】
ステップＳ１０２でＣ制御部１１０は、照明装置３のオートバウンス動作が完了したか否かを判定し、オートバウンス動作が完了していたらステップＳ１０３へ移行し、オートバウンス動作が完了していなければステップＳ１０２を繰り返す。照明装置３のオートバウンス動作が完了したか否かは、オートバウンス動作を完了したときに照明装置３が出力する動作完了通知を撮像装置１が受信したか否かに基づいて判定する。あるいは、オートバウンス動作中に定期的に照明装置３が出力する動作中通知を撮像装置１が受信しなくなったか否かに基づいて判定する。
【００４７】
ステップＳ１０３でＣ制御部１１０は、仮発光指示部２１０が撮影者に操作されたか否かを判定し、仮発光指示部２１０が撮影者に操作されていればステップＳ１０４へ移行し、仮発光指示部２１０が撮影者に操作されていなければステップＳ１０５へ移行する。
【００４８】
ステップＳ１０４でＣ制御部１１０は、Ｆ制御部１１９へ仮発光を指示するとともに、Ｌ制御部１１３へ撮影レンズ２の絞り量を実際の（撮影時の）絞りへ駆動するように指示する。
【００４９】
ここで撮影者は、モデリング発光動作を行うことで、ステップＳ１０１で演算されたバウンス角度が意図する画像を取得可能なバウンス角度か否かを判断することができる。
【００５０】
次に、Ｃ制御部１１０は、バウンス角度を調整するために補正量入力部２０９が撮影者に操作されたか否かを判定する。補正量入力部２０９が撮影者に操作されていればステップＳ１０６へ移行し、補正量入力部２０９が撮影者に操作されていなければステップＳ１０７へ移行する。
【００５１】
ステップＳ１０６でＣ制御部１１０の指示に従ってバウンス角度調整処理を行う。バウンス角度調整処理については後述する。
【００５２】
ステップＳ１０７でＣ制御部１１０は、各部に指示して撮影を行う。このとき、Ｃ制御部１１０はＦ制御部１１９へ発光を指示する。以上のようにしてバウンス発光撮影が行われる。
【００５３】
次に、図６を用いて、補正量入力部２０９の操作とバウンス角度の変更動作について説明する。
【００５４】
図６（ａ）は、補正量入力部２０９の入力レバーが下向きに操作された（入力レバーが初期位置から下方に傾けられた）場合を示している。図６（ａ）に示すように、入力レバーが下向きに操作された場合には、可動部を本体部に対して上方に回動させる。このときのバウンス角度の補正量は入力レバーへの操作に対応している。例えば、Ｃ制御部１１０は、入力レバーの傾き角度が大きいほど補正量の変化量を大きくし、各傾き角度になっている時間と変化量の組み合わせから補正量を決定する。
【００５５】
図６（ｂ）は、補正量入力部２０９の入力レバーが上向きに操作された（入力レバーが初期位置から上方に傾けられた）場合を示している。図６（ｂ）に示すように、入力レバーが上向きに操作された場合には、可動部を本体部に対して下方に回動させる。このときのバウンス角度の補正量は入力レバーが下向きに操作された場合と同じように決定される。
【００５６】
図６（ｃ）は、補正量入力部２０９の入力レバーが押下された（入力レバーが押し込まれた）場合を示している。図６（ｃ）に示すように、入力レバーが押下された場合には、補正量入力部２０９の入力結果に応じて補正したバウンス角度を補正前のバウンス角度に戻す。
【００５７】
以上のように、オートバウンス動作で演算されたバウンス角度を補正量入力部２０９によって調整することができる。
【００５８】
図７は、ステップＳ１０６のバウンス角度調整処理に関わる動作を示す図である。
【００５９】
ステップＳ２０１でＣ制御部１１０は、補正量入力部２０９の入力結果に応じて決定した補正量をＦ制御部１１９へ通知する。
【００６０】
ステップＳ２０２でＦ制御部１１９は、通知された補正量に基づいて可動部を回動させる。通知された補正量に基づいて可動部を回動させた後、バウンス角度調整処理を終了し、ステップＳ１０３へ移行する。
【００６１】
なお、図７に示すバウンス角度調整処理に代えて、図８に示すバウンス角度調整処理を行ってもよい。図８に示すバウンス角度調整処理では、補正量入力部２０９への操作に連動させて自動的にモデリング発光を行う。
【００６２】
ステップＳ３０１でＣ制御部１１０は、補正量入力部２０９の入力結果に応じて決定した補正量をＦ制御部１１９へ通知する。
【００６３】
ステップＳ３０２でＦ制御部１１９は、充電回路１２１から取得したコンデンサの充電状態に関する情報に基づいて、コンデンサの充電状態を確認する。
【００６４】
コンデンサの充電状態がモデリング発光が可能な状態でなければステップＳ３０３へ移行し、コンデンサの充電状態がモデリング発光が可能な状態であればステップＳ３０４へ移行する。
【００６５】
ステップＳ３０３でＦ制御部１１９は、コンデンサの充電状態がモデリング発光が可能な状態となるまで充電回路１２１にコンデンサの充電を行わせる。
【００６６】
ステップＳ３０４でＦ制御部１１９は、モデリング発光を開始させる。
【００６７】
ステップＳ３０５でＦ制御部１１９は、通知された補正量に基づいて可動部を回動させる。
【００６８】
通知された補正量に基づいて可動部を回動させた後、所定時間が経過したらステップＳ３０６でＦ制御部１１９は、モデリング発光を停止させてバウンス角度調整処理を終了し、ステップＳ１０３へ移行する。
【００６９】
以上のように、図８に示すバウンス角度調整処理では、補正量入力部２０９への操作に応じて自動的にモデリング発光を行うことで、補正による照明効果の変化を逐次確認しながらバウンス角度調整を行うことができる。
【００７０】
なお、図８に示すバウンス角度調整処理は、補正による照明効果の変化を逐次確認しながらバウンス角度調整を行うことができるがモデリング発光を頻繁に行うことになり電池を消耗しやすい。そのため、図７に示すバウンス角度調整処理を行うか図８に示すバウンス角度調整処理を行うかを撮影者が選択可能にしてもよい。
【００７１】
ここで、図９を用いてバウンス角度とモデリング発光時の発光量の関係を説明する。図９は、バウンス角度に応じたモデリング発光時の発光量を示す図である。モデリング発光を行うことで現在のバウンス角度における照明効果を確認することができるが、バウンス角度によって被写体に届く光量が異なるため、バウンス角度に応じてモデリング発光時の発光量を変更したほうがより照明効果を確認しやすい。
【００７２】
図９（ｂ）は演算されたバウンス角度（補正されていないバウンス角度）において基準発光量でモデリング発光している様子を示している基準発光量は、演算したバウンス角度で発光したときに被写体が適正な明るさになる光量である。図９（ａ）は、図９（ｂ）よりも下方へ補正されたバウンス角度で基準発光量よりも小さい発光量でモデリング発光している様子を示している。図９（ｃ）は、図９（ｂ）よりも上方へ補正されたバウンス角度で基準発光量よりも大きい発光量でモデリング発光している様子を示している。
【００７３】
図９（ａ）〜（ｃ）に示すように、バウンス角度が上方になるほどモデリング発光時の発光量を大きくしている。これは、バウンス角度が上方になるほど照明装置３から発せられた光束の被写体までの光路長が長くなり、固定の発光量だと被写体に届く光量が小さくなるためである。被写体に届く光量が小さいと、陰影などの照明効果が確認し難くなり、意図する画像を取得可能なバウンス角度に調整することが困難になる。
【００７４】
一方、バウンス角度が下方になるほど直接被写体に光が届きやすく、演算されたバウンス角度に対応した基準発光量のままでは強い光が被写体に照射されるおそれがある。そのため、バウンス角度が下方になるほどモデリング発光時の発光量を小さくしている。
【００７５】
以上のように、本実施形態では、撮影者が可動部を直接保持して動かすことなく、照明装置の照射方向をユーザの意図する方向へ容易に変更できる。
【００７６】
（第２の実施形態）
第２の実施形態では、補正量入力部２０９を備えていない構成において、バウンス角度の調整を行う例を説明する。
【００７７】
本実施形態では、撮像装置１が補正量入力部２０９を有していない点で第１の実施形態と異なるが、その他の点は第１の実施形態と同様なので、第１の実施形態と同様な点の詳細な説明は省略する。
【００７８】
本実施形態では、照明装置３で演算したバウンス角度に対して補正を行うために補正量入力部２０９のような専用の入力部を有していないため、操作部２０８で補正量の入力を可能にしている。図１０を用いて、操作部２０８の操作とバウンス角度の変更動作について説明する。
【００７９】
図１０（ａ）は、操作部２０８の十字ボタンの下部分が押下された場合を示している。図１０（ａ）に示すように、十字ボタンの下部分が押下された場合には、可動部を本体部に対して上方に回動させる。このときのバウンス角度の補正量は十字ボタンへの操作に対応している。例えば、Ｃ制御部１１０は、十字ボタンの下部分が押下されている時間が長いほど補正量を大きくする。
【００８０】
図１０（ｂ）は、操作部２０８の十字ボタンの上部分が押下された場合を示している。図１０（ｂ）に示すように、十字ボタンの上部分が押下された場合には、可動部を本体部に対して下方に回動させる。このときのバウンス角度の補正量は十字ボタンの下部分が押下された場合と同じように決定される。
【００８１】
図１０（ｃ）は、操作部２０８の十字ボタン全体が押下された場合を示している。図１０（ｃ）に示すように、十字ボタン全体が押下された場合には、操作部２０８の入力結果に応じて補正したバウンス角度を補正前のバウンス角度に戻す。
【００８２】
以上のように、オートバウンス動作で演算されたバウンス角度を操作部２０８によって調整することができる。
【００８３】
図１１は、本実施形態に係るバウンス発光撮影に関わる動作を示す図である。
【００８４】
撮像装置１または照明装置３に設けられたオートバウンス動作の開始指示を行うための操作部が撮影者に操作されると、ステップＳ４０１でＦ制御部１１９はオートバウンス動作を開始させる。
【００８５】
ステップＳ４０２でＣ制御部１１０は、照明装置３のオートバウンス動作が完了したか否かを判定し、オートバウンス動作が完了していたらステップＳ４０３へ移行し、オートバウンス動作が完了していなければステップＳ４０２を繰り返す。照明装置３のオートバウンス動作が完了したか否かは、オートバウンス動作を完了したときに照明装置３が出力する動作完了通知を撮像装置１が受信したか否かに基づいて判定する。あるいは、オートバウンス動作中に定期的に照明装置３が出力する動作中通知を撮像装置１が受信しなくなったか否かに基づいて判定する。
【００８６】
ステップＳ４０３でＣ制御部１１０は、仮発光指示部２１０が撮影者に操作されたか否かを判定し、仮発光指示部２１０が撮影者に操作されていればステップＳ４０４へ移行し、仮発光指示部２１０が撮影者に操作されていなければステップＳ４０９へ移行する。
【００８７】
ステップＳ４０４でＣ制御部１１０は、Ｆ制御部１１９へ仮発光を指示するとともに、Ｌ制御部１１３へ撮影レンズ２の絞り量を実際の（撮影時の）絞りへ駆動するように指示する。
【００８８】
ステップＳ４０５でＣ制御部１１０は、操作部２０８の機能を撮像装置１の操作機能からバウンス角度の補正量入力機能へと切り替える。撮像装置１の操作機能とは、撮像装置１の設定や各種制御値を変更する機能であり、通常時は操作部２０８の機能として撮像装置１の操作機能を優先することが好ましい。しかしながら、オートバウンス動作完了後に仮発光指示部２１０が操作された場合は、撮影者に照明装置３の照明効果を確認する意図があり照明装置のバウンス角度を調整する可能性が高い。特に、仮発光指示に応じたモデリング発光を行っている間は照明装置のバウンス角度を調整する可能性が高い。そのため、操作部２０８の機能をバウンス角度の補正量入力機能に切り替える。このように、撮影者が操作部２０８の機能を切り替える操作を不要とすることで、バウンス角度を調整するための専用の部材を有していなくても、撮影者は容易にバウンス角度を調整することができる。
【００８９】
次に、ステップＳ４０６でＣ制御部１１０は、バウンス角度を調整するために操作部２０８が撮影者に操作されたか否かを判定する。操作部２０８が撮影者に操作されていればステップＳ４１０へ移行し、操作部２０８が撮影者に操作されていなければステップＳ４０７へ移行する。
【００９０】
ステップＳ４０７でＣ制御部１１０は、Ｆ制御部１１９へ仮発光を指示してから所定時間が経過するまでの間に操作部２０８が操作されなければ、Ｆ制御部１１９へ仮発光の停止を指示する。Ｆ制御部１１９は、Ｃ制御部１１０からの指示に従ってモデリング発光を停止させる。
【００９１】
ステップＳ４０８でＣ制御部１１０は、操作部２０８の機能をバウンス角度の補正量入力機能から撮像装置１の操作機能へと切り替える。
【００９２】
ステップＳ４０９でＣ制御部１１０は、各部に指示して撮影を行う。このとき、Ｃ制御部１１０はＦ制御部１１９へ発光を指示する。
【００９３】
一方、バウンス角度を調整するために操作部２０８が撮影者に操作された場合、ステップＳ４１０でＣ制御部１１０は、操作部２０８の入力結果に応じて決定した補正量をＦ制御部１１９へ通知する。
【００９４】
ステップＳ４１１でＦ制御部１１９は、通知された補正量に基づいて可動部を回動させる。
【００９５】
通知された補正量に基づいて可動部を回動させた後、所定時間が経過したらステップＳ４１２でＦ制御部１１９は、モデリング発光を停止させる。そして、Ｆ制御部１１９は、モデリング発光を停止したことをＣ制御部１１０へ通知する。
【００９６】
ステップＳ４１３でＣ制御部１１０は、操作部２０８の機能をバウンス角度の補正量入力機能から撮像装置１の操作機能へと切り替える。その後、ステップＳ４０３へ移行する。
【００９７】
以上のように、図１１では、仮発光指示部２１０が操作されたことに応じて操作部２０８の機能を切り替えているが、接近検出部２０７の検出結果に応じて操作部２０８の機能を切り替えてもよい。
【００９８】
図１２は、本実施形態に係る接近検出部２０７の検出結果を考慮したバウンス発光撮影に関わる動作を示す図である。
【００９９】
撮像装置１または照明装置３に設けられたオートバウンス動作の開始指示を行うための操作部が撮影者に操作されると、ステップＳ５０１でＦ制御部１１９はオートバウンス動作を開始させる。
【０１００】
ステップＳ５０２でＣ制御部１１０は、照明装置３のオートバウンス動作が完了したか否かを判定し、オートバウンス動作が完了していたらステップＳ５０３へ移行し、オートバウンス動作が完了していなければステップＳ５０２を繰り返す。照明装置３のオートバウンス動作が完了したか否かは、オートバウンス動作を完了したときに照明装置３が出力する動作完了通知を撮像装置１が受信したか否かに基づいて判定する。あるいは、オートバウンス動作中に定期的に照明装置３が出力する動作中通知を撮像装置１が受信しなくなったか否かに基づいて判定する。
【０１０１】
ステップＳ５０３でＣ制御部１１０は、仮発光指示部２１０が撮影者に操作されたか否かを判定し、仮発光指示部２１０が撮影者に操作されていればステップＳ５０４へ移行し、仮発光指示部２１０が撮影者に操作されていなければステップＳ５０５へ移行する。
【０１０２】
ステップＳ５０４でＣ制御部１１０は、Ｆ制御部１１９へ仮発光を指示するとともに、Ｌ制御部１１３へ撮影レンズ２の絞り量を実際の（撮影時の）絞りへ駆動するように指示する。
【０１０３】
ステップＳ５０５でＣ制御部１１０は、接近検出部２０７で物体の接近が検出されたか否かを判定する。接近検出部２０７で物体の接近が検出されてない場合はステップＳ５０６へ移行し、物体の接近が検出された場合はステップＳ５０８へ移行する。
【０１０４】
物体の接近が検出されてない場合、ステップＳ５０６でＣ制御部１１０は、操作部２０８の機能をバウンス角度の補正量入力機能から撮像装置１の操作機能へと切り替える。操作部２０８の機能が撮像装置１の操作機能となっているときは、本ステップは省略される。
【０１０５】
ステップＳ５０７でＣ制御部１１０は、各部に指示して撮影を行う。このとき、Ｃ制御部１１０はＦ制御部１１９へ発光を指示する。
【０１０６】
物体の接近が検出された場合、ステップＳ５０８でＣ制御部１１０は、操作部２０８の機能を撮像装置１の操作機能からバウンス角度の補正量入力機能へと切り替える。操作部２０８の機能がバウンス角度の補正量入力機能となっているときは、本ステップは省略される。このように、接近検出部２０７で物体の接近が検出された場合は、撮影者が接眼部１０５に顔を近づけていて、撮影者が撮像装置１の設定を変更する可能性よりもバウンス角度を調整する可能性のほうが高いと判断し、操作部２０８の機能を切り替える。そのため、撮影者が操作部２０８の機能を切り替える操作を不要とすることで、バウンス角度を調整するための専用の部材を有していなくても、撮影者は容易にバウンス角度を調整することができる。
【０１０７】
ステップＳ５０９でＣ制御部１１０は、バウンス角度を調整するために操作部２０８が撮影者に操作されたか否かを判定する。操作部２０８が撮影者に操作されていればステップＳ５１０へ移行し、操作部２０８が撮影者に操作されていなければステップＳ５０７へ移行する。
【０１０８】
ステップＳ５１０でＣ制御部１１０は、操作部２０８の入力結果に応じて決定した補正量をＦ制御部１１９へ通知する。
【０１０９】
ステップＳ５１１でＦ制御部１１９は、通知された補正量に基づいて可動部を回動させる。その後、ステップＳ５０３へ移行する。
【０１１０】
以上のように、本実施形態では、照明装置３で演算したバウンス角度に対して補正を行うために専用の入力部を有していなくても、照明装置の照射方向をユーザの意図する方向へ容易に変更できる。
【０１１１】
（第３の実施形態）
本実施形態では、第１及び第２の実施形態で説明したようにしてバウンス角度が調整された場合に、バウンス角度の補正量を記憶しておき、次回以降のオートバウンス動作に伴うバウンス角度の変更時にも記憶されている補正量を反映させる。
【０１１２】
図１３は、バウンス角度の補正量を反映させたオートバウンス動作を示す図である。第１及び第２の実施形態でバウンス角度の補正量が決定されたときに、決定された補正量をＣ制御部１１０またはＦ制御部１１９のＲＡＭに記憶する。その後、撮像装置１または照明装置３に設けられたオートバウンス動作の開始指示を行うための操作部が撮影者に操作されるとオートバウンス動作を開始する。
【０１１３】
ステップＳ６０１でＦ制御部１１９は、照明装置の照射方向が前方となるように可動部を回動させ、発光部１１６と光量測定部１１７を用いて非発光時の光量と発光時の反射光量を用いた光波測距を行い被写体距離情報を取得する。
【０１１４】
ステップＳ６０２でＦ制御部１１９は、照明装置の照射方向が上方となるように可動部を回動させ、発光部１１６と光量測定部１１７を用いて非発光時の光量と発光時の反射光量を用いた光波測距を行い反射体距離情報を取得する。
【０１１５】
ステップＳ６０３でＦ制御部１１９は、取得した被写体距離情報と反射体距離情報とに基づいて、バウンス角度を演算する。
【０１１６】
ステップＳ６０４でＦ制御部１１９は、ステップＳ６０３で演算されたバウンス角度を記憶されている補正量で補正する。
【０１１７】
ステップＳ６０５でＦ制御部１１９は、補正後のバウンス角度になるように可動部を回動させる。
【０１１８】
以上のように、撮影者がバウンス角度を調整した後は、オートバウンス動作に伴うバウンス角度の変更時に自動的に調整時の補正量が反映されるため、オートバウンス動作を行うたびに撮影者が調整を行う必要がなくなる。
【０１１９】
なお、上記の３つの実施形態では、上下方向のバウンス角度の調整を行う例を説明したが、左右方向のバウンス角度の調整も同様である。
【０１２０】
また、上記の３つの実施形態では、バウンス角度の調整を補正量入力部２０９や操作部２０８で行う例を説明したが、補正量入力部２０９や操作部２０８の形状は上記の３つの実施形態で説明した形状に限定されない。例えば、入力レバーや十字ボタンではなくダイヤルやタッチパネルでもよい。また、操作部２０８の代わりに撮影レンズ２の設けられた操作部を用いるようにしてもよい。例えば、フォーカスリングやズームリングの回転量に応じてバウンス角度の補正量を決定してもよく、レンズ制御機能とバウンス角度の補正量入力機能との切替えは第２の実施形態と同様の条件で行えばよい。ただし、接近検出部２０７で物体の接近が検出された場合は、レンズ制御を行う可能性も高いので、物体の接近が検出され、かつ、オートバウンス動作を終了してから所定時間が経過するまでの間だけバウンス角度の補正量入力機能に切替えてもよい。
【０１２１】
また、バウンス角度の調整時には照射方向の調整を細かく行えるように、オートバウンス動作時よりも可動部の回動速度を遅くしてもよい。
【０１２２】
以上、本発明の好ましい実施形態について説明したが、本発明はこれらの実施形態に限定されず、その要旨の範囲内で種々の変形及び変更が可能である。
【０１２３】
例えば、上記の実施の形態の機能を制御方法として、この制御方法を撮像装置または照明装置に実行させるようにすればよい。また、上述の実施の形態の機能を有するプログラムを制御プログラムとして、当該制御プログラムを撮像装置または照明装置が備えるコンピュータに実行させるようにしてもよい。なお、制御プログラムは、例えば、コンピュータに読み取り可能な記録媒体に記録される。
【０１２４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２５】
１  撮像装置
２  撮影レンズ
３  発光装置
１０３  測光ユニット
１０５  接眼部
１１０  撮像装置制御部
１１６  発光部
１１７  光量測定部
１１８  発光駆動部
１１９  発光装置制御部
２０７  接近検出部
２０８  操作部
２０９  補正量入力部
２１０  仮発光指示部
【図１】
2017215530.tif 000003
【図２】
2017215530.tif 000004
【図３】
2017215530.tif 000005
【図４】
2017215530.tif 000006
【図５】
2017215530.tif 000007
【図６】
2017215530.tif 000008
【図７】
2017215530.tif 000009
【図８】
2017215530.tif 000010
【図９】
2017215530.tif 000011
【図１０】
2017215530.tif 000012
【図１１】
2017215530.tif 000013
【図１２】
2017215530.tif 000014
【図１３】
2017215530.tif 000015